(57)【要約】【課題】口部をきつく結んでおいた場合でも小さな力で中身を簡単に取り出すことができ、中身を取り出す際に中身が飛び出て手等が汚れることもないキッチンパックを提供すること。【解決手段】キッチンパック１は、プラスチック製のフィルムからなる袋体２の底部縁端フィルム部分７に、ヒートシール部５の付いた底部４を切り開くための起点となるフィルム切り込み部８が付いている。口部３がきつく結ばれているキッチンパック１から中身１０を取り出す際には、フィルム切り込み部８の切り込み９を起点として、小さな力で簡単に、底部４を切り開くことができる。【選択図】図２
0003220881.tif 000002
【実用新案登録請求の範囲】
【請求項１】
プラスチック製のフィルムから形成した袋体と、
前記袋体の底部を形成している底部フィルム部分のヒートシール部を切り開くための起点となるフィルム切り込み部と、
を備えており、
前記フィルム切り込み部は、前記底部フィルム部分の縁端から前記ヒートシール部までの間の底部縁端フィルム部分を所定の長さだけ切断している切り込みを備えているキッチンパック。
【請求項２】
請求項１において、
前記フィルム切り込み部は、
前記底部縁端フィルム部分を、前記縁端から前記ヒートシール部に到達しない位置まで延びる１本あるいは複数本の前記切り込みを備えているキッチンパック。
【請求項３】
請求項１において、
前記フィルム切り込み部は、
前記底部縁端フィルム部分を、前記縁端および前記ヒートシール部の双方に到達しないように形成した１本あるいは複数本の前記切り込みを備えているキッチンパック。
【請求項４】
請求項２または３において、
前記フィルム切り込み部は、複数本の前記切り込みを備え、
前記切り込みは、底部縁端フィルム部分の長さ方向に沿って、所定の間隔で形成されているキッチンパック。
【請求項５】
請求項２ないし４のうちのいずれか一つの項において、
前記切り込みは、前記ヒートシール部に直交する方向に延びているキッチンパック。
【考案の詳細な説明】
【技術分野】
【０００１】
本考案は、食品の小分け、保存、下ごしらえ等に用いられるプラスチック製の袋であるキッチンパックに関する。
【背景技術】
【０００２】
キッチンパックとして一般に用いられているポリ袋は、特許文献１（図６）に記載されているように、ポリエチレン製の柔軟なフィルムからなる袋体の下端がヒートシールにより封鎖されて底部となっている。キッチンパックは、食材等を入れて、その口部を結んだ状態で、冷蔵庫等に保管される。キッチンパックに詰めた食材等を使う場合には、口部の結び目を解く必要がある。保存中等に口部が開かないように、口部がきつく結ばれている場合が多い。また、キッチンパックは、容易に破れることのないように、高密度ポリエチレン等の丈夫なプラスチック製のフィルムから形成されている。
【先行技術文献】
【特許文献】
【０００３】
【特許文献１】特開２０１４−１１８１７７号公報、図６
【考案の概要】
【考案が解決しようとする課題】
【０００４】
このように、キッチンパックは、丈夫な素材から形成されており、中身が出ないように、口部がきつく結ばれる場合が多い。中身を取り出す際には、口部の結び目をほどく必要があるが、きつく結んである場合には口部を簡単に開けることができない。指で無理矢理開けようとしても、プラスチック製のフィルムが伸び、破り取ることも容易ではない。また、口部の結び目を強引に引っ張る等すると、口部が開いた際に、中身が飛び出て手が汚れることもある。
【０００５】
本考案の目的は、このような点に鑑みて、口部をきつく結んでおいた場合でも小さな力で中身を簡単に取り出すことができ、中身を取り出す際に中身が飛び出て手等が汚れることもないキッチンパックを提供することにある。
【課題を解決するための手段】
【０００６】
上記の課題を解決するために、本考案のキッチンパックは、プラスチック製のフィルムから形成した袋体からなり、袋体の底部には、当該底部を形成している底部フィルム部分のヒートシール部を切り開くための起点となるフィルム切り込み部が形成されている。フィルム切り込み部は、底部フィルム部分の縁端からヒートシール部までの間の底部縁端フィルム部分を、所定の長さだけ切断している１本あるいは複数本の切り込みを備えている。
【０００７】
切り込みは、例えば、底部縁端フィルム部分を、縁端からヒートシール部に到達しない位置まで延びる１本あるいは複数本の切り込みとすることができる。また、切り込みは、底部縁端フィルム部分を、縁端およびヒートシール部の双方に到達しないように形成した１本あるいは複数本の切り込みとすることができる。
【０００８】
本考案のキッチンパックは、その袋体の底部縁端フィルム部分に、底部（ヒートシール部）を切り開くための起点となるフィルム切り込み部が付いている。口部がきつく結ばれているキッチンパックから中身を取り出す際には、フィルム切り込み部の切り込みを起点として、底部を切り開くことができるので、比較的小さな力で簡単に底側からキッチンパックを切り開くことができる。
【０００９】
また、フィルム切り込み部として、底部縁端フィルム部分の長さ方向に沿って、所定の間隔で配置した複数本の切り込みが形成されている場合には、中身の充填状態などに応じて、適切な位置から底部を切り開くことができる。これにより、中身が飛び出す等の弊害を回避でき、キッチンパックを底から切り開く際に、手等が汚れることも少ない。
【００１０】
キッチンパックの底部に付ける切り込みは、ヒートシール部に交差する方向に延びるように形成しておけばよい。例えば、切り込みは、ヒートシール部に直交する方向に延びるように形成しておけば、切り込みを起点としてヒートシール部が形成されている底部を、簡単に切り開くことができる。また、切り込みが、キッチンパックの底部の縁端まで延びておらず、縁端が繋がっている場合には、不用意に底部が切り裂かれてしまうことがない。
【図面の簡単な説明】
【００１１】
【図１】本考案を適用したキッチンパックの一例を示す説明図である。
【図２】（ａ）は図１のキッチンパックに中身を入れて口部を結んだ状態の説明図であり、（ｂ）は底部を切り開いた状態を示す説明図である。
【図３】（ａ）、（ｂ）、（ｃ）は、図１のキッチンパックから中身を取り出す際の動作を示す説明図である。
【図４】（ａ）〜（ｄ）は、キッチンパックの切り込みの各種の形態を示す説明図である。
【考案を実施するための形態】
【００１２】
以下に、図面を参照して、本考案を適用したキッチンパックの実施の形態を説明する。以下に述べるキッチンパックは本考案の一例を示すものであり、本考案は当該キッチンパックに限定されるものではない。
【００１３】
図１は本例のキッチンパックを示す説明図である。キッチンパック１は、例えば、高密度ポリエチレンフィルムから形成した縦長の筒状の袋体２である。袋体２の長さ方向の上端が口部３となっており、下端部分が底部４となっている。底部４を形成している底部フィルム部分は、袋体幅方向に直線状に延びるヒートシール部５によって封鎖されている。なお、キッチンパック１の素材は、高密度ポリエチレンフィルムに限定されるものではなく、低密度ポリエチレンフィルム、その他のプラスチックフィルムであってもよい。
【００１４】
底部４において、底部フィルム部分の縁端６と、ヒートシール部５との間の一定幅の部分を、底部縁端フィルム部分７と呼ぶものとする。この底部縁端フィルム部分７には、底部４を切り開くための起点となるフィルム切り込み部８が形成されている。本例のフィルム切り込み部８は、底部縁端フィルム部分７を所定の長さに亘って切断している複数本の切り込み９を備えている。
【００１５】
切り込み９は、両側のフィルム部分において、袋体長さ方向に沿って所定の間隔で形成されている。本例では、各切り込み９は同一長さであり、袋体長さ方向に一定の間隔で形成されている。また、各切り込み９は、縁端６およびヒートシール部５のいずれにも到達しない位置、長さとなるように形成されている。
【００１６】
図２（ａ）はキッチンパック１に食材等の中身１０を入れて、口部３を結んだ状態を示す説明図であり、図２（ｂ）はキッチンパック１を底部４から切り開いた状態を示す説明図である。図３（ａ）、（ｂ）、（ｃ）および（ｄ）は、キッチンパック１を底部４から切り開く場合の動作例を示す説明図である。
【００１７】
これらの図に示すように、キッチンパック１に詰めた中身１０を取り出して使用する場合には、その底部４におけるフィルム切り込み部８の切り込み９のうちの一つの位置において、切り込み９を起点として左右の底部４を切り開くことで、中身１０を取り出すことができる。
【００１８】
例えば、図２（ｂ）、図３に示すように、キッチンパック１を横向きに倒して、中身１０を下側に寄せ、底部４において上側に位置する切り込み９を起点として、底部４を切り開く。これにより、キッチンパック１から中身１０を落とすことなく、キッチンパック１を切り開くことができる。また、キッチンパック１に大きな力を加えることなく、キッチンパック１を切り開くことができるので、中身１０が液体等を含む場合においても、加えた力によってキッチンパック１が大きく圧し潰されて液体等が飛び出して手等が汚れてしまうことも少ない。
【００１９】
（その他の実施の形態）
上記の例では、切り込み９は、底部４の底部縁端フィルム部分７において袋体幅方向の全幅に亘って等間隔で形成してある。例えば、図４（ａ）に示すように、切り込み９を、袋体幅方向の中央部分において広い間隔で形成し、両側の部分において狭い間隔で形成しておくこともできる。
【００２０】
また、切り込み９は、底部縁端フィルム部分７において、袋体幅方向における一部の部分にのみ形成しておくこともできる。例えば、図４（ｂ）に示すように、切り込み９を袋体幅方向の両側の部分に形成し、中央の部分には形成しないようにすることもできる。
【００２１】
さらに、切り込み９の方向は、上記の例ではヒートシール部５に直交する方向としてある。例えば、図４（ｃ）に示すように、切り込み９の方向は、ヒートシール部５に対して９０°未満の角度で傾斜する方向にすることもできる。切り込み９の延長線がヒートシール部５に交差するようにすればよい。
【００２２】
上記の例では、切り込み９は、縁端６から離れた位置から形成してある。例えば、図４（ｄ）に示すように、縁端６から所定の長さで切り込まれた切り込み９ａであってもよい。この場合、切り込み形状は、一定幅のスリット状、クサビ形状などにすることができる。
【符号の説明】
【００２３】
１  キッチンパック
２  袋体
３  口部
４  底部
５  ヒートシール部
６  縁端
７  底部縁端フィルム部分
８  フィルム切り込み部
９、９ａ  切り込み
１０  中身
【図１】
0003220881.tif 000003
【図２】
0003220881.tif 000004
【図３】
0003220881.tif 000005
【図４】
0003220881.tif 000006